(57)【要約】【課題】本開示は、レンズの保持精度が高いレンズ鏡筒を提供する。【解決手段】本開示におけるレンズ鏡筒は、略円筒形状に形成された第１の枠体と、少なくとも１枚のレンズを有し、光軸方向に移動可能な、第１レンズ群と、少なくとも１枚のレンズを有し、光軸方向に移動可能な、第２レンズ群と、第１レンズ群を保持する第２の枠体と、第２レンズ群を保持する第３の枠体と、を備える。被写体側から像面側へと順に、第１レンズ群、第２レンズ群は配置されている。第２の枠体と前記第１の枠体の外周面は、第１カム機構によって係合し、第３の枠体と第１の枠体の外周面は、第２カム機構によって係合する。そして、第１の枠体が光軸回りに回転すると、第２の枠体、及び第３の枠体は、第１の枠体に対して、光軸方向に移動する。【選択図】図３
2019113878.tif 000002
【特許請求の範囲】
【請求項１】
略円筒形状に形成された第１の枠体と、
少なくとも１枚のレンズを有する第１レンズ群と、
少なくとも１枚のレンズを有する第２レンズ群と、
前記第１レンズ群を保持する第２の枠体と、
前記第２レンズ群を保持する第３の枠体と、
を備え、
被写体側から像面側へと順に、前記第１レンズ群、前記第２レンズ群は配置され、
前記第２の枠体と前記第１の枠体の外周面は、第１カム機構によって係合し、
前記第３の枠体と前記第１の枠体の外周面は、第２カム機構によって係合し、
前記第１の枠体が光軸回りに回転すると、前記第２の枠体、及び前記第３の枠体は、前記第１の枠体に対して、光軸方向に移動する、
レンズ鏡筒。
【請求項２】
前記第３の枠体は第１の回転規制部を有し、
前記第２の枠体は第１の回転規制溝を有し、
前記第１の回転規制部は前記第１の回転規制溝に係合される、
請求項１に記載のレンズ鏡筒。
【請求項３】
前記第３の枠体の前記第１の回転規制部の径方向の厚さは、前記第２の枠体の前記第１の回転規制溝の深さと略同じ厚さで形成される、
請求項２に記載のレンズ鏡筒。
【請求項４】
略円筒形状に形成され、内周面に第２の回転規制溝を有する第４の枠体をさらに備え、
前記第２の枠体は、前記第４の枠体の内側に配置され、更に外周面に第２の回転規制部を有し、
前記第２の回転規制部は、前記第２の回転規制溝に係合される、
請求項２に記載のレンズ鏡筒。
【請求項５】
少なくとも１枚のレンズを有し、光軸方向に移動可能な、第３レンズ群と、
被写体側から像面側へと順に、前記第２レンズ群、前記第３レンズ群は配置され、
前記第３レンズ群を保持する第５の枠体を備え、
前記第５の枠体と前記第１の枠体の内周面は、第３カム機構によって係合されている、
請求項４に記載のレンズ鏡筒。
【請求項６】
前記第５の枠体は第３の回転規制部を有し、
前記第２の枠体は内周面に第３の回転規制溝を有し、
前記第３の回転規制部は、前記第３の回転規制溝に係合される、
請求項５に記載のレンズ鏡筒。
【請求項７】
略円筒形状に形成され、内周面に第４の回転規制溝を有する第６の枠体をさらに備え、
前記第４の枠体は、前記第６の枠体の内側に配置され、更に外周面に第４の回転規制部を有し、
前記第４の回転規制部は、前記第４の回転規制溝に係合される、
請求項５に記載のレンズ鏡筒。
【請求項８】
前記第６の枠体の被写体と反対側を覆う板状の第７の枠体をさらに備え、
前記第７の枠体には、光軸付近に開口部が形成され、撮像素子の一部が嵌め込まれている、
請求項７に記載のレンズ鏡筒。
【請求項９】
前記第２の枠体と前記第１の枠体の外周面は、第４カム機構によって係合されている、
請求項８に記載のレンズ鏡筒。
【発明の詳細な説明】
【技術分野】
【０００１】
本開示は、光学系を備えるレンズ鏡筒に関する。
【背景技術】
【０００２】
特許文献１には、レンズ鏡筒のカム機構におけるカムピンのガタ寄せ機構の改善を図れ、それにより光学機器の小型化を図れる光学機器が開示されている。
【先行技術文献】
【特許文献】
【０００３】
【特許文献１】特開平１１−１０９２０９号公報
【発明の概要】
【発明が解決しようとする課題】
【０００４】
本開示は、レンズの保持精度が高いレンズ鏡筒を提供する。
【課題を解決するための手段】
【０００５】
本開示におけるレンズ鏡筒は、略円筒形状に形成された第１の枠体と、少なくとも１枚のレンズを有し、光軸方向に移動可能な、第１レンズ群と、少なくとも１枚のレンズを有し、光軸方向に移動可能な、第２レンズ群と、第１レンズ群を保持する第２の枠体と、第２レンズ群を保持する第３の枠体と、を備える。被写体側から像面側へと順に、第１レンズ群、第２レンズ群は配置されている。
第２の枠体と前記第１の枠体の外周面は、第１カム機構によって係合し、第３の枠体と第１の枠体の外周面は、第２カム機構によって係合する。そして、第１の枠体が光軸回りに回転すると、第２の枠体、及び第３の枠体は、第１の枠体に対して、光軸方向に移動する。
【発明の効果】
【０００６】
本開示によれば、レンズの保持精度が高いレンズ鏡筒を提供することができる。
【図面の簡単な説明】
【０００７】
【図１】実施の形態に係るデジタルカメラの斜視図
【図２】実施の形態に係るレンズ鏡筒の斜視図
【図３】実施の形態に係るレンズ鏡筒の分解斜視図
【図４】実施の形態に係るレンズ鏡筒の３群ユニットの要部構成図
【図５】実施の形態に係るレンズ鏡筒の４群ユニットの分解斜視図
【図６】実施の形態に係るレンズ鏡筒の要部構成図
【図７】実施の形態に係るレンズ鏡筒の３群ユニット、４群ユニットおよびカム枠の分解斜視図
【図８】実施の形態に係るレンズ鏡筒の３群ユニット、４群ユニットおよびカム枠の要部構成図
【図９】実施の形態に係るＦＰＣガイド枠の装着状態を示す分解斜視図
【図１０】実施の形態に係るＦＰＣガイド枠の３面図
【図１１】実施の形態に係るカム枠の内周面展開図
【図１２】実施の形態に係るレンズ鏡筒の各状態における断面図
【図１３】実施の形態に係るレンズ鏡筒の１群ユニット、２群ユニットおよびカム枠の分解斜視図
【図１４】実施の形態に係るカム枠の１群主カム溝、１群補助カム溝、２群カム溝を説明するための図
【図１５】実施の形態に係るマスターフランジユニットおよび撮像素子ユニットの分解斜視図
【図１６】実施の形態に係るマスターフランジユニットおよび撮像素子ユニットの要部断面概略図
【発明を実施するための形態】
【０００８】
以下、適宜図面を参照しながら、実施の形態を詳細に説明する。但し、必要以上に詳細な説明は省略する場合がある。例えば、既によく知られた事項の詳細な説明や実質的に同一の構成に対する重複説明を省略する場合がある。これは、以下の説明が不必要に冗長になるのを避け、当業者の理解を容易にするためである。
【０００９】
なお、発明者らは、当業者が本開示を十分に理解するために添付図面および以下の説明を提供するのであって、これらによって特許請求の範囲に記載の主題を限定することを意図するものではない。
【００１０】
図面を用いて、本開示の実施形態について説明する。以下の図面の記載において、同一又は類似の部分には、同一又は類似の符号を付している。ただし、図面は模式的なものであり、各寸法の比率等は現実のものとは異なっている場合がある。従って、具体的な寸法等は以下の説明を参酌して判断すべきである。また、図面相互間においても互いの寸法の関係や比率が異なる部分が含まれている場合があることは勿論である。
【００１１】
なお、以下の実施形態では、撮像装置としてデジタルカメラを例に挙げて説明する。以下の説明では、横位置のデジタルカメラを基準として、被写体側を「前側」、被写体の反対側（像面側）を「後側」、鉛直上側を「上側」、鉛直下側を「下側」、鏡筒を被写体側から見て右側を「右側」、被写体側から見て左側を「左側」と表現する。横位置とは、デジタルカメラの姿勢の一種であり、横位置で撮影する場合、横長矩形画像の長辺方向は画像内における水平方向に略一致する。
【００１２】
［１．デジタルカメラの全体構成］
デジタルカメラ３０００の構成について、図面を参照しながら説明する。図１は、デジタルカメラ３０００の斜視図である。図２は、レンズ鏡筒２０００の斜視図である。なお、図２（ａ）では、沈胴状態のレンズ鏡筒２０００、図２（ｂ）では、撮影時（ワイド状態）のレンズ鏡筒２０００、図２（ｃ）では、撮影時（テレ状態）のレンズ鏡筒２０００、が図示されている。本実施の形態に係るレンズ鏡筒２０００では、テレ状態が最も繰り出した状態である。
【００１３】
デジタルカメラ３０００は、図１に示すように、筐体３１００と、レンズ鏡筒２０００と、を備える。
【００１４】
レンズ鏡筒２０００は、沈胴式のズーム機構を備える。レンズ鏡筒２０００は、図２に示すように、沈胴状態が最も全長が短く、逆にテレ状態が最も全長が長い。
【００１５】
［２．レンズ鏡筒の構成］
次に、レンズ鏡筒２０００の構成について、図面を参照しながら説明する。図３は、レンズ鏡筒２０００の分解斜視図である。なお、１点鎖線は、光軸ＡＸを示す。本章及び図３では、レンズ鏡筒の概略構成を説明しているため、文章中の符号及び図面中の符号を省略することがある。
【００１６】
光学系には、第１レンズ群Ｇ１〜第６レンズ群Ｇ６（図１２（ｃ）参照）が含まれる。なお、以下の説明では、光軸ＡＸに平行な方向を「光軸方向」、光軸方向に垂直な方向を「径方向」、光軸ＡＸを中心とする円に沿った方向を「周方向」と称する。光軸ＡＸは、レンズ鏡筒２０００を構成する各枠の軸心と略一致する。
【００１７】
レンズ鏡筒２０００は、図３に示すように、固定枠ユニット２０１０、１群直進枠２０２０、１群ユニット２０３０、２群ユニット２０４０、３群ユニット２０５０（第１の枠体）、４群ユニット２０６０（第３の枠体）、カム枠２０７０（第２の枠体）、ＦＰＣガイド枠２０８０、５群ユニット２０９０、６群ユニット２１００、６群移動ユニット２１１０、駆動ギア２１２０、ズームモータユニット２１３０、マスターフランジユニット２１４０、撮像素子ユニット２１５０を備える。
【００１８】
固定枠ユニット２０１０は、中空の円筒状に形成されている。固定枠ユニット２０１０は、内周面に回転規制溝及びカム溝を有する。固定枠ユニット２０１０の外周面には、ズームモータユニット２１３０が取り付けられる。ズームモータユニット２１３０は、レンズ鏡筒２０００を繰り出すための駆動源である。
【００１９】
マスターフランジユニット２１４０は、固定枠ユニット２０１０の後方を覆う板状の樹脂部材である。マスターフランジユニット２１４０は、光軸ＡＸ付近に開口部が形成されている。マスターフランジユニット２１４０の開口部には、撮像素子ユニット２１５０の一部が嵌め込まれている。
【００２０】
１群直進枠２０２０は、中空の円筒状に形成されており、固定枠ユニット２０１０の内側に配置される。１群直進枠２０２０は、外周面に回転規制突起を有し、内周面に回転規制溝を有する。回転規制突起は、固定枠ユニット２０１０の回転規制溝に係合される。これにより、１群直進枠２０２０は、固定枠ユニット２０１０とは相対回転不可能且つ光軸方向前後に移動可能に保持される。また、回転規制溝は、１群直進枠２０２０の内周面において光軸方向に沿って形成されている。
【００２１】
１群ユニット２０３０は、レンズ鏡筒２０００内に光を取り込むための第１レンズ群Ｇ１を保持している（図１２（ｃ）参照）。１群ユニット２０３０は、円筒状に形成されており、１群直進枠２０２０の内側に配置される。１群ユニット２０３０は、外周面に回転規制突起を有し、内周面に回転規制溝とカムフォロアとを有する。回転規制突起は、１群直進枠２０２０の回転規制溝に係合される。これにより、１群ユニット２０３０は、１群直進枠２０２０とは相対回転不可能且つ光軸方向前後に移動可能に保持される。１群ユニット２０３０の回転規制溝は、１群ユニット２０３０の内周面において光軸方向に沿って形成されている。
【００２２】
２群ユニット２０４０は、第２レンズ群Ｇ２を保持している（図１２（ｃ）参照）。第２レンズ群Ｇ２は、被写体像の画角を変更するズーミングの際に使用されるレンズ群である。２群ユニット２０４０は、円盤状に形成されており、１群ユニット２０３０の内側に配置される。２群ユニット２０４０は、外周面から光軸方向後側に延出した回転規制部２０４１、および回転規制部２０４１の後端付近には内周面内側に向けて突出したカムフォロア２０４２を有する（図１３参照）。回転規制部２０４１は、１群ユニット２０３０の回転規制溝に係合される。これにより、２群ユニット２０４０は、１群ユニット２０３０とは相対回転不可能且つ光軸方向前後に移動可能に保持される。
【００２３】
３群ユニット２０５０は、第３レンズ群Ｇ３を保持している（図１２（ｃ）参照）。第３レンズ群Ｇ３は、被写体像の画角を変更するズーミングの際、及び使用者の手振れ等による像ぶれを補正する際に使用されるレンズ群である。３群ユニット２０５０は、円筒状に形成され、カム枠２０７０の内側に配置される。３群ユニット２０５０は、カムフォロアと、回転規制突起と、回転規制スリットと、を有する。３群ユニット２０５０の回転規制突起は、外周面における前端付近に立設される。回転規制突起は、１群ユニット２０３０の内周面の回転規制溝に係合される。これにより、３群ユニット２０５０は、１群ユニット２０３０とは相対回転不可能且つ光軸方向前後に移動可能に保持される。
【００２４】
４群ユニット２０６０は、第４レンズ群Ｇ４を保持している（図１２（ｃ）参照）。第４レンズ群Ｇ４は、被写体像の画角を変更するズーミングの際に使用されるレンズ群である。４群ユニット２０６０は、円盤状に形成されており、３群ユニット２０５０の内側に配置される。４群ユニット２０６０は、径方向外側に向けて突出した回転規制部、および回転規制部からさらに径方向外側に向けて突出したカムフォロアを有する。回転規制部は、３群ユニット２０５０の回転規制スリットに係合される。これにより、４群ユニット２０６０は、３群ユニット２０５０とは相対回転不可能且つ光軸方向前後に移動可能に保持される。また４群ユニット２０６０の光軸方向後側は、撮像素子に到達する光の量をコントロールする為のシャッターユニット２０６５で構成されている。
【００２５】
５群ユニット２０９０は、第５レンズ群Ｇ５を保持している（図１２（ｃ）参照）。第５レンズ群Ｇ５は、被写体像の画角を変更するズーミングの際に使用されるレンズ群である。５群ユニット２０９０は、円盤状に形成されており、３群ユニット２０５０の内側に配置される。５群ユニット２０９０は、径方向外側に向けて突出した回転規制部、および回転規制部からさらに径方向外側に向けて突出したカムフォロアを有する、回転規制部は、３群ユニットの回転規制スリットに係合される。これにより、４群ユニット２０６０は、３群ユニット２０５０とは相対回転不可能且つ光軸方向前後に移動可能に保持される。
【００２６】
６群ユニット２１００は、第６レンズ群Ｇ６を保持している（図１２（ｃ）参照）。第６レンズ群Ｇ６は、被写体像の合焦状態を調整するフォーカシングの際に使用されるレンズ群である。
【００２７】
６群移動ユニット２１１０は、円筒状に形成されており、内側に６群ユニット２１００を保持している。６群移動ユニット２１１０は、外周面における後端付近にフランジ部を有し、フランジ部からさらに径方向外側に向けて突出した回転規制突起を有する。回転規制突起は、固定枠ユニット２０１０の内周面の回転規制溝に係合される。６群移動ユニット２１１０は、固定枠ユニット２０１０とは相対回転不可能且つ光軸方向前後に移動可能に保持される。６群移動ユニット２１１０にはフォーカスモータが固定されており、モータを駆動することにより、６群移動ユニット２１１０と６群ユニット２１００との光軸方向の相対位置が調整できる様になっている。６群移動ユニット２１１０は、外周面における前端付近に、径方向外側に向けて突出したカムフォロアを有する。
【００２８】
カム枠２０７０は、円筒状に形成されており、１群ユニット２０３０の内側に配置される。カム枠２０７０は、内周面及び外周面に複数のカム溝を有すると共に、外周面における後端付近にカムフォロア及び被駆動ギア部を有する。カムフォロアは、固定枠ユニット２０１０の内周面のカム溝に係合され、被駆動ギア部には駆動ギア２１２０を介してズームモータユニット２１３０の駆動力が伝えられる。ズームモータユニット２１３０に通電して駆動力を与えると、カム枠２０７０は、固定枠ユニット２０１０に対し光軸ＡＸを中心として回転しながら、光軸方向前後に移動する。
【００２９】
カム枠２０７０の外周面のカム溝には、それぞれ１群ユニット２０３０および２群ユニット２０４０のカムフォロアが係合され、カム枠２０７０の内周面のカム溝には、それぞれ３群ユニット２０５０、４群ユニット２０６０、５群ユニット２０９０および６群移動ユニットのカムフォロアが係合される。ここで、ズームモータユニット２１３０に通電して駆動力を与えると、１群ユニット２０３０、２群ユニット２０４０、３群ユニット２０５０、４群ユニット２０６０、５群ユニット２０９０および６群移動ユニット２１１０は固定枠ユニット２０１０に対し相対回転せず、光軸方向前後に移動する。
【００３０】
上述した構成において、レンズ鏡筒２０００は、ズームモータユニット２１３０およびフォーカスモータを駆動することにより、第１レンズ群Ｇ１〜第６レンズ群Ｇ６を適切な位置に配置し、ズーミング、及びフォーカシングを行うことが可能な構成となっている。
【００３１】
［３．レンズ鏡筒を構成する部材の詳細構成］
［２．レンズ鏡筒の構成］においては、レンズ鏡筒２０００を構成する各部材の概要を説明した。以下では、レンズ鏡筒２０００を構成する各部品の詳細について説明する。
【００３２】
［３−１．３群ユニット］
図４を用いて、３群ユニット２０５０の構成を、より詳細に説明する。
【００３３】
図４は、３群ユニット２０５０の要部構成図である。図４（ａ）は３群ユニット２０５０を光軸方向前側から見た図である。図４（ｂ）は３群ユニット２０５０を径方向外側から見た図である。図４（ｃ）は、図４（ｂ）におけるＡ−Ａ線での断面図である。図４（ｄ）は、図４（ｂ）におけるＢ−Ｂ線での断面図である。図４（ｅ）は、図４（ｂ）におけるＣ−Ｃ線での断面図である。
【００３４】
図４（ａ）に示すように、３群ユニット２０５０は、円筒状に形成されており、外周面から突出した３つのカムフォロア２０５１を有する。図４（ｂ）に示すように、３つのカムフォロア２０５１のうちの１つのみが、カムフォロアベース部２０５３によって保持されている。カムフォロアベース部２０５３は、３群ユニット２０５０の本体部分２０５７から切り離されており、２つの薄肉部２０５２により、３群ユニット２０５０の本体部分２０５７と結合している。
【００３５】
図４（ｃ）に示すように、薄肉部２０５２の径方向の厚さは、３群ユニット２０５０の本体部分２０５７における薄肉部周辺部分２０５７ａの径方向の厚さに比べて薄く形成されている。また、図４（ｃ）及び図４（ｄ）に示すように、薄肉部２０５２の径方向の厚さは、カムフォロアベース部２０５３の径方向の厚さに比べて薄く形成されている。また、薄肉部２０５２は、カムフォロアベース部２０５３よりも光軸方向の長さが短く形成されている。このような形状とすることにより、カムフォロアベース部２０５３は、薄肉部２０５２付近を支点として揺動可能であり、径方向に変位し易い構成となっている。
【００３６】
また、薄肉部２０５２は、互いに離れた位置に配置されている。より具体的には、２つの薄肉部２０５２が、周方向に互いに離れた２箇所に配置されている。そのため、１箇所に配置された薄肉部２０５２によってカムフォロアベース部２０５３と本体部分２０５７とが結合されている場合と比較して、カムフォロアベース部２０５３が変位する際に薄肉部２０５２がねじれ難い。その結果、カムフォロアベース部２０５３に保持されているカムフォロア２０５１は、径方向に変位し易く、周方向や光軸方向に変位し難い。すなわち、薄肉部２０５２が互いに離れた位置に配置されている場合は（複数箇所に配置されている場合は）、カムフォロアベース部２０５３が揺動する際の支点が複数になる。そうすると、薄肉部２０５２が１箇所にしか配置されておらず、カムフォロアベース部２０５３が揺動する際の支点が１つだけだった場合と比較して、薄肉部２０５２がねじれ難い。これは、複数の支点が互いにねじれを規制し合うからである。さらに、薄肉部２０５２が互いに離れた位置に配置されている場合は、薄肉部２０５２を１箇所だけに配置した場合と比較して、薄肉部２０５２を周方向や光軸方向にねじるために、より大きな力が必要だからである。
【００３７】
また、図４（ｅ）に示すように、カムフォロアベース部２０５３は、光軸方向における薄肉部２０５２と反対側の前端部分２０５３ａが、本体部分２０５７の一部であるベース部対向部分２０５７ｂと対向している。ベース部対向部分２０５７ｂは、カムフォロアベース部２０５３よりも径方向内側に位置する。そして、カムフォロアベース部２０５３の前端部分２０５２ａと、本体部分２０５７のベース部対向部分２０５７ｂとの間には、径方向において間隙が設けられている。更に本体部分２０５７のベース部対向部分２０５７ｂには、カムフォロアベース部２０５３の前端部分２０５３ａと対向する位置であって、カムフォロアベース部２０５３を挟んでカムフォロア２０５１とは反対側に、規制突起２０５４が設けられている。このような構成により、カムフォロアベース部２０５３と、本体部分２０５７との間隙が部分的に小さくなる様にしている。
【００３８】
３群ユニット２０５０をこのように形成することにより、カムフォロアベース部２０５３が径方向内側に変位する際の変位量に規制がかかる。すなわち、カムフォロアベース部２０５３が径方向内側に変位する際、所定量以上変位すると、カムフォロアベース部２０５３の前端部分２０５３ａが規制突起２０５４に当接し、それ以上は変位しない。カムフォロアベース部２０５３の変位量を規制することにより、鏡筒に落下衝撃等の外力が加わった場合におけるカムフォロア２０５１のカム溝からの脱落が抑制されるため、レンズ鏡筒２０００の信頼性を向上させることが出来る。
【００３９】
［３−２．４群ユニット］
次に、４群ユニット２０６０の構成を、図５を用いて詳細に説明する。
【００４０】
図５は、４群ユニット２０６０の分解斜視図である。図５に示すように、４群ユニット２０６０は、遮光シート２０６１、ビス２０６２、板バネ２０６３（付勢部材）、４群枠２０６４、シャッターユニット２０６５を有し、第４レンズ群Ｇ４を保持する。
【００４１】
４群枠２０６４には、板バネ２０６３がビス２０６２で保持されている。板バネ２０６３はカムフォロアベース部２０５３と対向する位置に配置されている。
【００４２】
４群枠２０６４の光軸方向前側には、第４レンズ群Ｇ４への不要な光線の進入を防止する遮光シート２０６１が配置される。
【００４３】
シャッターユニット２０６５は、４群枠２０６４に第４レンズ群Ｇ４を接着固定した後、フック部２０６５１を４群枠２０６４に形成されたフック保持部２０６４１に挿入することで、４群枠２０６４と一体化する。
【００４４】
［３−３．３群ユニット＋４群ユニット＋カム枠］
次に、図６〜図８を用いて、３群ユニット２０５０、４群ユニット２０６０をカム枠２０７０と組み合わせた状態の構成を説明する。
【００４５】
図６は、レンズ鏡筒２０００の要部構成図である。図６（ａ）は、３群ユニット２０５０、４群ユニット２０６０をカム枠２０７０と組み合わせた状態を光軸方向前側から見た図である。図６（ｂ）は、図６（ａ）におけるＤ−Ｄ線での断面図である。
【００４６】
図６（ｂ）に示すとおり、４群ユニット２０６０に固定された板バネ２０６３は、カムフォロアベース部２０５３を内側から径方向外側に付勢する。それによって、カムフォロア２０５１はカム溝２０７２に向かって付勢される。このように構成することにより。４群ユニット２０６０は、３群ユニット２０５０を介して、カム枠２０７０に対し径方向の１方向に付勢される。
【００４７】
また、３群ユニット２０５０は、カムフォロアベース部２０５３が径方向外側に変位することにより、カムフォロア２０５１が、カム枠２０７０のカム溝２０７２に押さえ付けられる状態となる。更に、カムフォロアベース部２０５３が径方向の１方向に付勢されるとともに、カムフォロア２０５１がカム溝２０７２のテーパー部にはまり込む状態となる。
【００４８】
従って、３群ユニット２０５０、４群ユニット２０６０及びカム枠２０７０の光軸方向のガタが規制される。この構成により、レンズ鏡筒２０００は、１つの板バネ２０６３を用いて、３群ユニット２０５０と４群ユニット２０６０の２つを、カム枠２０７０に対し付勢した状態で、カム枠２０７０に保持させることが出来る。そのため、レンズ鏡筒２０００は、第３レンズ群Ｇ３および第４レンズ群Ｇ４の保持精度が高い。従って、レンズ鏡筒２０００のこの構成によれば、第３レンズ群Ｇ３と第４レンズ群Ｇ４の相対位置精度を向上することが出来る。
【００４９】
図７は、レンズ鏡筒２０００の３群ユニット２０５０、４群ユニット２０６０およびカム枠２０７０の分解斜視図である。図７（ａ）は、３群ユニット２０５０、４群枠２０６４、カム枠２０７０の分解斜視図である。図７（ｂ）は、図７（ａ）の光軸方向後側からシャッターユニット２０６５を挿入する際の分解斜視図である。
【００５０】
図７（ａ）において、３群ユニット２０５０の外周面には調心用穴２０５５が３箇所設けられている（図７（ａ）では２箇所しか表れていない。）。カム枠２０７０には、光軸方向前側の周上に切り欠き部２０７１が設けられている。また、４群ユニット２０６０のシャッターユニット２０６５は、３群ユニット２０５０の後側から３群ユニット２０５０内に挿入され、前述したフック部２０６５１とフック保持部２０６４１との係合によって、４群枠２０６４と一体化される。３群ユニット２０５０はカム枠２０７０に対して光軸方向に移動可能に保持されている。３群ユニット２０５０をカム枠２０７０に対して最も繰り出した位置まで移動させると、図７（ｂ）に示すように、調心用穴２０５５と切り欠き部２０７１とが対向し、一つの貫通孔が形成される。
【００５１】
図８は、レンズ鏡筒２０００の３群ユニット２０５０、４群ユニット２０６０およびカム枠２０７０の要部構成図である。図８（ａ）は、３群ユニット２０５０、４群ユニット２０６０をカム枠２０７０と組み合わせた状態（シャッターユニット挿入前）を示す前面図である。図８（ｂ）は、３群ユニット２０５０、４群ユニット２０６０をカム枠２０７０と組み合わせた状態（シャッターユニット挿入前）を示す、図８（ａ）におけるＥ−Ｅ線での断面図である。
【００５２】
図８に示すとおり、３群ユニット２０５０の調心用穴２０５５から治具を挿入し、第３レンズ群Ｇ３に対する第４レンズ群Ｇ４の位置を調整しながら、４群枠２０６４に第４レンズ群Ｇ４を接着固定することが可能である。これにより、レンズ鏡筒２０００は、３群ユニット２０５０、４群ユニット２０６０及びカム枠２０７０が組み立てられた状態で、第３レンズ群Ｇ３と第４レンズ群Ｇ４の相対位置精度を向上させることが出来る。
【００５３】
本実施形態に係るレンズ鏡筒２０００は、３群ユニット２０５０をカム枠２０７０に対して最も繰り出したときに、調心用穴２０５５と切り欠き部２０７１が対向する構成である。このように構成することで、第４レンズ群Ｇ４を調心する際には貫通孔を形成できるが、その他の撮影時に使用されるズームポジションでは貫通孔が形成されず、漏光が発生しないように構成されている。
【００５４】
以上により、レンズ鏡筒２０００は、第３レンズ群Ｇ３と第４レンズ群Ｇ４の相対位置精度を高めることが可能であるため、レンズ鏡筒の解像性能を向上させることが出来る。あるいは、レンズ鏡筒２０００は、第３レンズ群Ｇ３及び第４レンズ群Ｇ４の群間調整における精度に余裕が出来た分をレンズの小型化に割り振ることが可能であり、レンズ鏡筒２０００の小型化、軽量化を達成することが出来る。
【００５５】
なお、本実施の形態では、付勢部材として４群ユニット２０６０に板バネ２０６３を固定した構成を示したが、３群ユニット２０５０に板バネを設ける、コイルバネ等の板バネ以外の付勢手段で付勢する等の構成が可能であることは言うまでもない。また３群ユニット２０５０の材料を金属等の材料で構成し、薄肉部２０５２のバネ性で直接付勢する構成も可能である。
【００５６】
［４．フレキシブル基板引き回し部の詳細構成］
［４−１．ＦＰＣガイド枠］
以下では、図９〜図１２を用いて、レンズ鏡筒２０００に内蔵されている、ぶれ補正ユニット、シャッターユニット２０６５を本体基板に接続するためのフレキシブル基板（ＯＩＳフレキ２０５６、シャッターフレキ２０６６）の鏡筒内部での引き回しに関して説明する。
【００５７】
図９は、ＦＰＣガイド枠２０８０の装着状態を示す分解斜視図、図１０は、ＦＰＣガイド枠２０８０の３面図、図１１は、カム枠２０７０の内面展開図を示す。
【００５８】
図９において、ＦＰＣガイド枠２０８０は、カム枠２０７０の内側かつ６群移動ユニット２１１０の外側に配置される。ＦＰＣガイド枠２０８０は、カム枠２０７０及び６群移動ユニット２１１０とは独立して、光軸方向に移動することが可能である。６群移動ユニット２１１０には、ＦＰＣガイド枠２０８０の光軸方向の移動をガイドするガイド壁２１１１が設けられている。ガイド壁２１１１の内側を直進ガイド突起２０８３が摺動し、ＦＰＣガイド枠２０８０は光軸方向に移動する。
【００５９】
図１０（ａ）は、ＦＰＣガイド枠２０８０を光軸方向前側から見た図、図１０（ｂ）は、ＦＰＣガイド枠２０８０を光軸ＡＸに垂直な水平方向から見た図、図１０（ｃ）は、ＦＰＣガイド枠２０８０を光軸ＡＸに垂直な鉛直方向から見た図である。図１０に示すように、ＦＰＣガイド枠２０８０は、直進ガイド突起２０８３及びカムフォロアａ２０８１、カムフォロアｂ２０８２を有する。図１０（ｂ）に示すように、ＦＰＣガイド枠２０８０は、光軸ＡＸに垂直な水平方向から見るとＬ字形状に形成されている。
【００６０】
直進ガイド突起２０８３は、６群移動ユニット２１１０のガイド壁２１１１に摺動可能に配置され、６群移動ユニット２１１０に対し光軸方向に移動自在に保持される。また、カムフォロアａ２０８１、カムフォロアｂ２０８２は、それぞれカム枠２０７０の内周面のカム溝８１及びカム溝８２に係合される。
【００６１】
図１１において、カム溝８１は区間Ｘが他のカム溝により分断されている。また、カム溝８２は区間Ｙが他のカム溝により分断されているとともに、後端側がカム枠２０７０からはみ出している。
【００６２】
しかしながら、カムフォロアａ２０８１及びカムフォロアｂ２０８２が、光軸方向の高さ及び周方向の位相が異なる位置に設けられていることにより、カムフォロアａ２０８１及びカムフォロアｂ２０８２は、常に、少なくとも一方がカム溝８１およびカム溝８２に係合された状態となり、連続して駆動できるようになっている。
【００６３】
すなわち、カムフォロアａ２０８１がカム溝８１の区間Ｘに存在する時は、カムフォロアｂ２０８２はカム溝８２内を摺動しているので、ＦＰＣガイド枠２０８０がカム枠２０７０から落下することが抑制される。また、カムフォロアｂ２０８２がカム溝８２の区間Ｙに存在する時は、カムフォロアａ２０８１はカム溝８１内を摺動しているので、ＦＰＣガイド枠２０８０がカム枠２０７０から落下することが抑制される。
【００６４】
これにより、ＦＰＣガイド枠２０８０はカム枠２０７０の回転に伴って、他のユニットとは独立して光軸方向前後に移動することが可能となっている。
【００６５】
図１２はレンズ鏡筒２０００の各状態における断面図を示す。
【００６６】
図１２（ａ）は、レンズ鏡筒２０００の沈胴状態における断面図を示す。図１２（ｂ）は、レンズ鏡筒２０００のワイド（最広角端）状態における断面図を示す。図１２（ｃ）は、レンズ鏡筒２０００のテレ（最望遠端）状態における断面図を示す。
【００６７】
図１２（ａ）〜図１２（ｃ）に示すように、ＯＩＳフレキ２０５６及びシャッターフレキ２０６６は、レンズ鏡筒２０００の各状態において、Ｌ字形状のＦＰＣガイド枠２０８０に沿ってガイドされ、鏡筒端部の接点に接続される。図１２（ａ）に示す沈胴状態において、ＦＰＣガイド枠２０８０の光軸ＡＸに垂直に形成された片２０８４は、カム枠２０７０の後端に当接する。図１２（ｂ）に示すワイド状態、及び図１２（ｃ）に示すテレ状態では、ＦＰＣガイド枠２０８０の光軸ＡＸに垂直に形成された片２０８４は、カム枠２０７０の後端から光軸方向後側に移動する。
【００６８】
図１２（ａ）〜図１２（ｃ）において、ＦＰＣガイド枠２０８０が光軸方向前後に移動することにより、レンズ鏡筒２０００の各状態においても、ＯＩＳフレキ２０５６のたるみ量が殆ど変化しない。このような構成により、ＦＰＣガイド枠２０８０は、たるんだＯＩＳフレキ２０５６が他の部分に引っかかったり、他の枠間に挟まれたりすることを抑制する。
【００６９】
上記により、カム枠２０７０のカム溝８１及びカム溝８２を適切に設定することにより、ＯＩＳフレキ２０５６のたるみ量をコントロールすることが可能となる。
【００７０】
一方、シャッターフレキ２０６６に関しては、上記ＯＩＳフレキ２０５６とは状態が異なる。
【００７１】
図１２（ａ）〜図１２（ｃ）においてシャッターフレキ２０６６は、ＯＩＳフレキ２０５６と同じ場所に重ねられてレンズ鏡筒２０００の外部に引き出される。
【００７２】
３群ユニット２０５０と、４群ユニット２０６０の隙間ｔが鏡筒を繰り出しても変化しない場合は、たるみ量は一定となるため問題ないが、本実施の形態の場合は、ズームに伴い３群ユニット２０５０と、４群ユニット２０６０の隙間ｔが変化する。
【００７３】
本実施の形態の場合は、沈胴状態と、ワイド状態で３群ユニット２０５０と、４群ユニット２０６０の隙間ｔに変化は無いものの、テレ状態で３群ユニット２０５０と、４群ユニット２０６０の隙間ｔが拡がる状態となっている。
【００７４】
そこで、本実施の形態では図５に示すように、シャッターフレキ２０６６の一部に補強板２０６７が設けられている。補強板２０６７は、シャッターフレキ２０６６に比べて硬い材料で構成されている。シャッターフレキ２０６６の補強板２０６７が設けられている部分は、補強板２０６７部分によって屈曲が制限されている。図１２（ｃ）において、シャッターフレキ２０６６は、補強板２０６７により屈曲が制限されているため、ＯＩＳフレキ２０５６と比較して光軸方向後側で屈曲した状態となる。
【００７５】
これにより、シャッターフレキ２０６６のたるみ量についてもコントロールが可能となり、シャッターフレキ２０６６が他の部分に引っかかったり、他の枠間に挟まれたりすることを防止できる。
【００７６】
以上の構成により、レンズ鏡筒２０００鏡筒内でのアクチュエータの光軸方向の移動量が大きい場合あるいは、２種類以上のアクチュエータが別々に繰り出す場合に関しても、ＯＩＳフレキ２０５６及びシャッターフレキ２０６６が他の部分に引っかかったり、他の枠間に挟まれたりすることを防止できる。
【００７７】
なお、本実施の形態ではシャッターフレキ２０６６に補強板２０６７を設けて屈曲を制限したが、シャッターフレキ２０６６の幅を部分的に広げて屈曲し難い様に構成しても構わない。また、シャッターフレキ２０６６の幅を広げた部分を他の枠に引っ掛けることにより屈曲を制限するように構成しても構わない。
【００７８】
［５．１群ユニット、２群ユニット駆動部の詳細構成］
以下は１群ユニット２０３０、２群ユニット２０４０の駆動部の構成を説明する。
【００７９】
［５−１．１群ユニット、２群ユニットの駆動部構成］
図１３は、１群ユニット２０３０、２群ユニット２０４０及びカム枠２０７０の駆動部の構成を示す分解斜視図である。
【００８０】
図１３において１群ユニット２０３０は、内周面に主カムフォロア２０３１を３つ有する（図１３では１つしか表れていない。）。１群ユニット２０３０は、内周面に主カムフォロア２０３１より断面積が小さく径方向の突出量も小さい補助カムフォロア２０３２を２つ有する（図１３では１つしか表れていない。）。また、１群ユニット２０３０は、内周面に回転規制溝２０３３が光軸方向に沿って形成されている。
【００８１】
２群ユニット２０４０は外周縁から光軸方向後側に延出した回転規制部２０４１を有し、回転規制部２０４１の後端付近内側にはカムフォロア２０４２が設けられている。回転規制部２０４１は１群ユニット２０３０の回転規制溝２０３３に係合される。この様な構成によって、２群ユニット２０４０は１群ユニット２０３０とは相対回転せず、光軸方向前後に移動可能に保持される。
【００８２】
ここで２群ユニット２０４０の回転規制部２０４１の径方向の厚さは、１群ユニット２０３０の回転規制溝２０３３の深さとほぼ同じ厚さで形成される。この構成により、回転規制部２０４１は、１群ユニット２０３０の内面から径方向内側に突出することなく、１群ユニット２０３０の回転規制溝２０３３内に収まるように配置することが出来る。従って、レンズ鏡筒２０００は、径方向の厚さを増やすことなくカム枠２０７０の外周面に、１群ユニット２０３０用の１群主カム溝３１及び１群補助カム溝３２と、２群ユニット２０４０用の２群カム溝４２を同時に配置することが出来る。
【００８３】
図１４は、カム枠２０７０の１群主カム溝３１、１群補助カム溝３２、２群カム溝４２を説明するための図である。図１４（ａ）はカム枠２０７０の外周面展開図、図１４（ｂ）は１群補助カム溝３２の断面図、図１４（ｃ）は２群カム溝４２の断面図である。
【００８４】
図１４（ａ）において、カム枠２０７０の外周面には１群主カム溝３１が３本、１群補助カム溝３２が２本、２群カム溝４２が３本で計８本のカム溝が形成されている。
【００８５】
１群主カム溝３１は、１群ユニット２０３０の主カムフォロア２０３１を摺動可能に保持する。１群補助カム溝３２は、１群ユニット２０３０の補助カムフォロア２０３２を摺動可能に保持する。２群カム溝４２は、２群ユニット２０４０のカムフォロア２０４２を摺動可能に保持する。
【００８６】
図１４（ａ）において、１群補助カム溝３２と、２群カム溝４２は部分的に交差している。
【００８７】
図１４（ｂ）及び図１４（ｃ）において、２群カム溝４２は、１群補助カム溝３２より深く形成されており、カムフォロア２０４２は、２群カム溝４２の深い部分で摺動可能に保持されている状態となっている。
【００８８】
ここで、１群ユニット２０３０はデジタルカメラ３０００の外部に露出しているため、デジタルカメラ３０００が落下した場合等に非常に大きな外力が加わる。
【００８９】
一方、２群ユニット２０４０はレンズ鏡筒２０００の内部に納まっているため、１群ユニット２０３０と比較して小さな力しか加わらない。
【００９０】
図１４（ａ）に示すように、１群主カム溝３１は他のカム溝と交差しないように（干渉しないように）形成されている。従って、主カムフォロア２０３１は常に１群主カム溝３１に摺動可能に保持されている。一方、１群副カム溝３２は、一部が２群カム溝４２と交差するように形成されている。ここで、補助カムフォロア２０３２が当該交差位置にあるとき、補助カムフォロア２０３２は１群副カム溝３２内を摺動していないこととなる。そこで、レンズ鏡筒２０００は、１群副カム溝３２と２群カム溝４２とが交差する位置Ｐ，Ｑ，Ｒが光軸ＡＸに垂直な同一面内に存在しないように形成されている。このような構成により、１群ユニット２０３０は１群主カム溝３１が３本と、少なくとも１群副カム溝３２の２本のうち１本との計４本以上が係合されている状態となり、１群主カム溝３１の３本のみで係合されている場合と比較して強い強度を得ることが出来る。例えば、補助カムフォロア２０３２の一方が位置Ｐにおいて１群副カム溝３２内を摺動していないとき、補助カムフォロア２０３２の他方は位置Ｑ又は位置Ｒにないので、補助カムフォロア２０３２のうち少なくとも一方は１群副カム溝３２に摺動可能に保持されている。
【００９１】
また、２群カム溝４２は１群補助カム溝３２と交差する部分でカムフォロア２０４２の摺動する面の深さが浅くなるが、２群ユニット２０４０には、１群ユニット２０３０と比較して小さな力しか加わらないので、外れ難い。
【００９２】
以上のように、カム枠２０７０の外周面に１群ユニット２０３０用及び２群ユニット２０４０用のカム溝を形成することにより、レンズ鏡筒２０００の径を大きくすること無く、１群ユニット２０３０及び２群ユニット２０４０を駆動させることができる。また、２群ユニット２０４０用のカム溝４２をカム枠２０７０の内周面に形成する場合と比較して、カム枠２０７０の内周面により多くのカム溝を配置することが可能となるため、カム枠２０７０の内周面にカム溝を配置する自由度が増す。このような構成により、レンズ鏡筒２０００は、より多くのユニットを独立して駆動させたり、限られた光軸方向の寸法内により多くのカム溝を形成したりすることが可能となり、レンズ鏡筒２０００の光軸方向の寸法を小さくすることが可能となる。
【００９３】
また、１群副カム溝３２を設け、補助カムフォロア２０３２を摺動させることにより、レンズ鏡筒２０００は、１群ユニット２０３０の強度を向上することが出来る。
【００９４】
［６．撮像素子固定部の防塵構成］
以下では、図１５及び図１６を用いて撮像素子固定部の防塵構成について説明する。
【００９５】
図１５はマスターフランジユニット２１４０、撮像素子ユニット２１５０の分解斜視図である。
【００９６】
図１５においてマスターフランジユニット２１４０は、マスターフランジ２１４２と、防塵シート２１４１を有する。
【００９７】
マスターフランジ２１４２には撮像素子２１５１より大きな開口部２１４２ａが形成されている。
【００９８】
マスターフランジ２１４２の内径部には、撮像素子２１５１とほぼ同じサイズの開口部２１４１ａが形成された防塵シート２１４１が貼り付けられている。
【００９９】
防塵シート２１４１は遮光性のある樹脂製の薄板を打ち抜き加工して作成されており、開口部２１４１ａ周辺には複数のスリットが形成されている。
【０１００】
図１６はマスターフランジユニット２１４０と、撮像素子ユニット２１５０を組み合わせた際の断面を示した模式図である。
【０１０１】
防塵シート２１４１の開口部２１４１ａは、撮像素子２１５１より僅かに小さく作成されているため、開口部２１４１ａの縁部は撮像素子２１５１の外周部に当接される。この構成により、撮像素子２１５１の外周部が、防塵シート２１４１で押さえつけられた状態となっている。
【０１０２】
この構成により、防塵シート２１４１が鏡筒内の空間と撮像素子２１５１より外の空間とを遮蔽し、鏡筒内部に塵や埃等の異物がし難くなる。また、撮像素子２１５１周辺から余分な光が侵入し画像に映りこむことを防止する。
【０１０３】
［７．他の実施の形態］
以上のように、本出願において開示する技術の例示として、実施の形態を説明した。しかしながら、本開示における技術は、これに限定されず、変更、置き換え、付加、省略などを行った実施の形態にも適用できる。また、上記実施の形態で説明した各構成要素を組み合わせて、新たな実施の形態とすることも可能である。
【０１０４】
そこで、以下、他の実施の形態を例示する。
【０１０５】
実施の形態では、カムフォロアベース部２０５３と３群ユニット２０５０の本体部分２０５７とを接続する薄肉部２０５２は、光軸ＡＸを中心とした周方向に互いに離れた位置に配置されるものとしたが、本開示はこれに限定されるものではない。光軸ＡＸに沿った方向に互いに離れた位置に配置されるものとしてもよい。
【０１０６】
また、実施の形態では、薄肉部２０５２は２箇所存在するものとしたが、本開示はこれに限定されるものではない。薄肉部の数は何カ所でも構わない。
【０１０７】
また、実施の形態では、カムフォロアベース部２０５３の径方向外側にカムフォロア２０５１が配置されるものとしたが、本開示はこれに限定されるものではない。カムフォロアベース部の径方向内側にカムフォロアが存在し、そのさらに内側にカム溝が位置する構成としても構わない。
【０１０８】
また、実施の形態では、カムフォロアベース部２０５３を板バネで付勢するものとしたが、本開示はこれに限定されるものではない。カムフォロアベース部自体が外側に付勢されるように構成しても構わないし、捩りコイルばね等の他の付勢部材を用いても構わない。
【０１０９】
また、実施の形態では、３群ユニット２０５０に調心用穴２０５５を形成し、カム枠２０７０に切り欠き部２０７１を形成するものとしたが、本開示はこれに限定されるものではない。調心用穴や切り欠き部を適宜入れ替えることや、両方を調心用穴或いは切り欠き部で形成することも可能である。
【０１１０】
また、実施の形態では、３群ユニット２０５０をカム枠２０７０に対して最も繰り出した位置まで移動さると、調心用穴２０５５と切り欠き部２０７１が対向し、一つの貫通孔が形成されるものとしたが、本開示はこれに限定されるものではない。ズーム区間の途中で調心用穴と切り欠き部が対向し、一つの貫通孔が形成されるものとしても構わない。
【０１１１】
［付記１］
第１の移動群（例えば、第３レンズ群Ｇ３）と、
前記第１の移動群とは異なる、少なくとも１枚のレンズを含む第２の移動群（例えば、第４レンズ群Ｇ４）と、
前記第１の移動群を保持する第１の枠体（例えば、３群ユニット２０５０）と、
前記第１の枠体の内側に配置され、前記第２の移動群内のレンズを保持する第２の枠体（例えば、４群ユニット２０６０）と、
前記第１の枠体の外側に配置され、前記第１の枠体を光軸方向に移動可能に保持する第３の枠体（例えば、カム枠２０７０）と、を備え、
前記第１の枠体は、外周面に少なくとも１つの孔部（例えば、調心用穴２０５５）が形成されており、
前記第３の枠体は、外周面に少なくとも１つの穴部または切り欠き部（例えば、切り欠き部２０７１）が形成されており、
前記第１の枠体を、前記第３の枠体に対する駆動可能範囲の所定の位置まで駆動させると、前記第１の枠体の孔部と前記第３の枠体の穴部または切り欠き部が対向する、
レンズ鏡筒（例えば、レンズ鏡筒２０００）。
【０１１２】
［付記２］
少なくとも一つのレンズを保持するレンズ鏡筒（例えば、レンズ鏡筒２０００）であって、
固定枠（例えば、固定枠ユニット２０１０）と、
前記固定枠に対して光軸方向に移動可能な駆動枠（例えば、３群ユニット２０５０、４群ユニット２０６０）と、
前記駆動枠の移動に伴って移動し、電気的な構成要素を備える移動部と、
一端が前記移動部に接続されたフレキシブル基板（例えば、ＯＩＳフレキ２０５６、シャッターフレキ２０６６）と、
前記移動部とは独立して光軸方向に移動し、前記フレキシブル基板をガイドするＦＰＣガイド枠（例えば、ＦＰＣガイド枠２０８０）と、
を備えるレンズ鏡筒。
【０１１３】
［付記３］
少なくとも１つのレンズを保持するレンズ鏡筒（例えば、レンズ鏡筒２０００）であって、
固定枠（例えば、固定枠ユニット２０１０）と、
前記固定枠に対して光軸方向に移動可能で、電気的な構成要素を備える第１の移動部及び第２の移動部と、
一端が前記第１の移動部に接続され、他端が前記固定枠に固定される第１のフレキシブル基板（例えば、ＯＩＳフレキ２０５６）と、
一端が前記第２の移動部に接続され、他端が固定枠の前記第１のフレキシブル基板と同じ位置に固定される第２のフレキシブル基板（例えば、シャッターフレキ２０６６）とを有し、
前記第２のフレキシブル基板は、前記第２のフレキシブル基板の一部の領域の屈曲を制限する屈曲制限部（例えば、補強板２０６７）を備える、
レンズ鏡筒（例えば、レンズ鏡筒２０００）。
【０１１４】
［付記４］
略円筒形状に形成された第１の枠体（例えば、カム枠２０７０）と、
被写体側から像面側へと順に、光軸方向に移動可能な、少なくとも１枚のレンズを有する第１レンズ群（例えば、第１レンズ群Ｇ１）、第２レンズ群（例えば、第２レンズ群Ｇ２）と、
前記第１レンズ群、第２レンズ群をそれぞれ保持する第２の枠体（例えば、１群ユニット２０３０）、第３の枠体（例えば、２群ユニット２０４０）と、を備え、
前記第２の枠体は、前記第１の枠体に対して係合可能な第１カムフォロア（例えば、主カムフォロア２０３１）、第２カムフォロア（例えば、補助カムフォロア２０３２）を有し、前記第３の枠体は、前記第１の枠体に対して係合可能な第３カムフォロア（例えば、カムフォロア２０４２）を有し、
前記第１の枠体は、外周面に前記第１カムフォロア及び第３カムフォロアと係合可能な第１カム溝（例えば、１群主カム溝３１）及び第３カム溝（例えば、２群カム溝４２）が互いに干渉しないように形成され、同時に第２カムフォロアと係合可能な第２カム溝（例えば、１群補助カム溝３２）が形成されており、前記第２カム溝と前記第３カム溝は部分的にクロスしている、
レンズ鏡筒。
【０１１５】
［付記５］
光軸中心に第１の開口部を有するマスターフランジ（例えば、マスターフランジ２１４２）と、
前記マスターフランジに保持され、前記第１の開口部（例えば、開口部２１４２ａ）より小さな第２の開口部（例えば、開口部２１４１ａ）を有する防塵シート（例えば、防塵シート２１４１）と、
前記第２の開口部に配置される撮像素子（例えば、撮像素子２１５１）と、を備え、
前記防塵シートは、前記第２の開口部の縁部が前記撮像素子の外周部に当接されている、
撮像装置。
【産業上の利用可能性】
【０１１６】
本開示は、光学系を備えるレンズ鏡筒、及びレンズ鏡筒を用いるデジタルカメラ、携帯電話、スマートフォン等に適用可能である。
【符号の説明】
【０１１７】
２０００  レンズ鏡筒
２０１０  固定枠ユニット
２０２０  １群直進枠
２０３０  １群ユニット
２０３１  主カムフォロア
２０３２  補助カムフォロア
２０３３  回転規制溝
２０４０  ２群ユニット
２０４１  回転規制部
２０４２  カムフォロア
２０５０  ３群ユニット（第１の枠体）
２０５１  カムフォロア
２０５２  薄肉部
２０５３  カムフォロアベース部
２０５４  規制突起
２０５５  調心用穴
２０５６  ＯＩＳフレキ（フレキシブル基板）
２０５７  本体部分
２０６０  ４群ユニット（第３の枠体）
２０６１  遮光シート
２０６２  ビス
２０６３  板バネ（付勢部材）
２０６４  ４群枠
２０６４１  フック保持部
２０６５  シャッターユニット
２０６５１  フック部
２０６６  シャッターフレキ（フレキシブル基板）
２０６７  補強板
２０７０  カム枠（第２の枠体）
２０７１  切り欠き部
２０７２  カム溝
２０８０  ＦＰＣガイド枠
２０８１  カムフォロアａ
２０８２  カムフォロアｂ
２０８３  直進ガイド突起
２０９０  ５群ユニット
２１００  ６群ユニット
２１１０  ６群移動ユニット
２１１１  ガイド壁
２１２０  駆動ギア
２１３０  ズームモータユニット
２１４０  マスターフランジユニット
２１４１  防塵シート
２１４２  マスターフランジ
２１５０  撮像素子ユニット
２１５１  撮像素子
３０００  デジタルカメラ
３１００  筐体
ＡＸ  光軸
Ｇ３  第３レンズ群
Ｇ４  第４レンズ群
【図１】
2019113878.tif 000003
【図２】
2019113878.tif 000004
【図３】
2019113878.tif 000005
【図４】
2019113878.tif 000006
【図５】
2019113878.tif 000007
【図６】
2019113878.tif 000008
【図７】
2019113878.tif 000009
【図８】
2019113878.tif 000010
【図９】
2019113878.tif 000011
【図１０】
2019113878.tif 000012
【図１１】
2019113878.tif 000013
【図１２】
2019113878.tif 000014
【図１３】
2019113878.tif 000015
【図１４】
2019113878.tif 000016
【図１５】
2019113878.tif 000017
【図１６】
2019113878.tif 000018